(57)【要約】      （修正有）【課題】土嚢を袋ごと、耐久性のある袋に移し入れ、土嚢としての寿命を長期化させる土嚢保護袋に関する技術を提供する。【解決手段】基準寸法は、両端長さ１３００ｍｍ、幅４５０ｍｍ、材質はポリエステル製である。両端に４ヵ所、中央部に４ヵ所、ハトメを付け、土嚢袋が入る袋を左右に設けている。崩壊した瓦の応急処置としてブルーシート４、土嚢５を用いた例では、ブルーシート４で棟（グシ）３を跨ぎ、その左右に「重し」として土嚢５を仮置きしている。【選択図】図１
0003169178.tif 000002
【実用新案登録請求の範囲】
【請求項１】
ハトメを備える帯状接合部を介して相対向する、土嚢を収納可能な水平断面が略四角形の同寸法の二つの袋を有し、前記袋の前記接合部側端部は開口し、他端部は閉口していることを特徴とする土嚢保護袋。
【請求項２】
他端部にハトメを有し、ロープ等を介して互いに連接可能であることを特徴とする請求項１に記載する土嚢保護袋。
【請求項３】
防水シートを押さえる目的で、屋根棟部に使用することを特徴とする請求項１又は２に記載の土嚢保護袋。
【考案の詳細な説明】
【技術分野】
【０００１】  本考案は、土嚢保護袋に係わり、特に、防水シートを押さえる目的で屋根棟部に使用する土壌保護袋に関する。
【背景技術】
【０００２】  従来、土嚢保護袋は、主としてポリエチレン、ポリプロピレン等で作られており、強度等の向上にさまざまな工夫がされている（例えば、特許文献１〜３参照。）。しかし、なお脆弱な強度しか持ち合わせておらず、時間の経過、直射日光により劣化し、内容物である砂、土が漏出して「重し」の役割を十分果たさない状況にある。
【先行技術文献】
【特許文献】
【０００３】
【特許文献１】特開２００８−２２３２４８号公報
【特許文献２】特開２００４−３６０３８１号公報
【特許文献３】特開２００４−２７７９２号公報
【考案の概要】
【考案が解決しようとする課題】
【０００４】  平成２３年３月１１日に発生した東日本大震災において、多くの日本家屋の土瓦が崩落するなどの被害が多発し、応急処置としてブルーシートで崩壊箇所を覆い、その「重し」として土嚢が多用されている。本考案は、上述した従来技術の問題点に鑑み、土嚢を袋ごと、耐久性のあるポリエステルシートで作った袋に移し入れ、土嚢としての寿命を長期化させる土嚢保護袋に関する技術を提供することを目的とする。
【課題を解決するための手段】
【０００５】  本考案の第１手段は、上記目的を達成させるために、土嚢保護袋であって、ハトメを備える帯状接合部を介して相対向する、土嚢を収納可能な水平断面が略四角形の同寸法の二つの袋を有し、前記袋の前記接合部側端部は開口し、他端部は閉口していることを特徴とする。【０００６】  また、第２手段は、第１手段に記載の土嚢保護袋であって、他端部にハトメを有し、ロープ等を介して互いに連結可能であることを特徴とする。【０００７】  また、第３手段は、第１又は第２手段に記載の土嚢保護袋であって、防水シートを押さえる目的で、屋根棟部に使用することを特徴とする。
【考案の効果】
【０００８】  大規模、広範囲に震災が発生した為、大多数はブルーシートと土嚢で応急処置を行っている。しかし土瓦と職人不足により、本格復旧に至らぬまま、これから梅雨、台風の季節を迎える。しかしながら、これら簡易的な応急処置では風を受けて、ブルーシートや土嚢が適正位置からずれ、その都度、養生のやり直しが必要である。元来、強度的に問題のある土嚢袋を度々移動することは、土嚢袋の劣化破損を招く。本考案の土嚢保護袋に用いられるシートは肉厚のポリエステル製で野外テントとしても使用され、実績値１０年の耐久性が認められている。棟（グシ）頂部を横幅４５０ｍｍで抑えることができ、防風、防水対策の安定感も増し、養生替えが不必要である。
【図面の簡単な説明】
【０００９】
【図１】土嚢保護袋の実施例を示す正面図である。
【図２】土嚢保護袋の（ａ）は正面図、（ｂ）は側面図である。
【図３】土嚢保護袋の平面図である。
【図４】土嚢保護袋の連結実施例である。
【図５】土嚢保護袋の連結実施例である。
【考案を実施するための形態】
【００１０】  本考案の、土嚢保護袋１は、図２、図３のような形状で、基準寸法は、両端長さ１３００ｍｍ、幅４５０ｍｍ、材質はポリエステル製である。両端に４ヵ所、中央部に４ヵ所、ハトメ２を付け、土嚢袋が入る袋を左右に設けている。この土嚢保護袋１は中央部で切り離し、ロープ等を用いて複数個を珠繋ぎにすることができる。図１に示すように崩壊した瓦の応急処置としてブルーシート４、土嚢５を用いた例では、ブルーシート４で棟（グシ）３を跨ぎ、その左右に「重し」として土嚢５を仮置きしている。また、図４及び図５に示すように、土嚢５の滑落下を防止するため、左右の土嚢５は、ロープ６で振り分け荷物のように連結しているが、棟（グシ）３の頂部はロープ６の断面（一本あるいは二本）のみで押さえられているに過ぎない。本考案による土嚢保護袋１の横幅は４５０ｍｍで、その左右に袋を備えているから、棟（グシ）３頂部ではブルーシート４に対して４５０ｍｍにわたって加重を与え、抑力を強化できる。場合により、屋根７全面をブルーシート４で覆い、その「重し」として、やはり土嚢５を使用し、当該土嚢５を棟（グシ）３から軒先まである間隔で配置し、落下防止のために、土嚢５の間をロープ６で複数個数珠のようにした応急処置を施してもよい。本考案による土嚢保護袋１にはハトメ２を付けており、土嚢保護袋１の中心を切り離すことで袋部を二つに分割することができる。図３に示すように、袋部外側左右端にもハトメ２を付けているので、ロープ６で複数個数珠繋ぎにすることができる。
【実施例１】
【００１１】  図１に示すように、棟（グシ）３をブルーシート４で覆い、そこに土嚢５を「重し」に防風、防水対策の応急処置をしている家屋に対し、ブルーシート４の上から土嚢保護袋１を棟（グシ）３を跨いで広げ、その両端袋部に「重し」として使用している土嚢５を袋ごと移し入れる。土嚢保護袋１の方向は図２、（ａ）、（ｂ）に示したように、開口部を下側（屋根側）にして雨水の浸入を防止する。図３に土嚢保護袋本体を示した。なお、中心部の点線部分で左右に切り離し可能である。【００１２】  図４に示したのは、屋根７全体をブルーシート４で覆っている家屋の場合で、棟（グシ）３を跨いで設置した土嚢保護袋１の下端に付けたハトメ２と別の土嚢保護袋１を中央部ハトメ２の外側から半分に切り離し、ハトメ２間をロープ６で連結する。この場合も土嚢保護袋１の開口部は下側にして設置する。棟（グシ）３から軒下までの間に複数個の土嚢保護袋１を連結する場合は、上述の方法を繰り返して数珠繋ぎを完成させる。【００１３】  図５は寄棟造りの下がり棟（グシ）３の場合で、棟（グシ）３を跨いで土嚢保護袋１を長手方向に配列する。土嚢保護袋１を連結する場合、最上端の土嚢保護袋１ハトメ２を基点としてロープ６を通して土嚢保護袋１間を連結する。通し方は土嚢保護袋１の中央ハトメ２を基点に、あるいは下端のハトメ２を基点する方法いずれでも可能である。
【符号の説明】
【００１４】１  土嚢保護袋
２  ハトメ
３  棟（グシ）
４  ブルーシート
５  土嚢
６  ロープ
７  屋根
【図１】
0003169178.tif 000003
【図２】
0003169178.tif 000004
【図３】
0003169178.tif 000005
【図４】
0003169178.tif 000006
【図５】
0003169178.tif 000007